(57)【要約】【課題】本発明は、航行監視自動放送システムを介して無線伝送された伝送情報、またはその伝送情報の送信端の真偽を判別する航行情報判別装置と、航行監視自動放送システムを介して所定の伝送情報の送信や受信を行う無線局の航行計画を配信する航行計画配信装置とに関し、本来的な仕様および構成に対する適合性が損なわれることなく、無線局や伝送情報の真偽の判別が確度高く達成されることを目的とする。【解決手段】  航行監視自動放送システムの無線伝送路を介して受信され、無線局の識別子を含む伝送情報を取得する伝送情報取得手段と、前記識別子で示される無線局の航行計画と、前記伝送情報との相関として、前記無線局または前記伝送情報の真偽を判別する判別手段とを備える。【選択図】図１
2015197779.tif 000002
【特許請求の範囲】
【請求項１】
航行監視自動放送システムの無線伝送路を介して受信され、無線局の識別子を含む伝送情報を取得する伝送情報取得手段と、
前記識別子で示される無線局の航行計画と、前記伝送情報との相関として、前記無線局または前記伝送情報の真偽を判別する判別手段と
を備えたことを特徴とする航行情報判別装置。
【請求項２】
航行監視自動放送システムの無線伝送路を介して受信され、無線局の識別子を含む伝送情報を取得する伝送情報取得手段と、
セキュアな通信路に、前記伝送情報の全てまたは一部と前記識別子とを含む問い合わせを送出する問い合わせ手段と、
前記問い合わせに応じて前記セキュアな通信路を介して引き渡され、かつ前記伝送情報の真偽を示す応答を取得する応答取得手段と
を備えたことを特徴とする航行情報判別装置。
【請求項３】
異なる情報源から提供され、または転送された個別の無線局の航行計画が集約されて蓄積されたデータベースと、
セキュアな通信路を介して引き渡された問い合わせに含まれる識別子で示される無線局について前記データベースに蓄積されている航行計画と、前記識別子と共に前記セキュアな通信路を介して引き渡された情報との相関として、前記無線局または前記情報の真偽を判別する判別手段と、
前記真偽を前記問い合わせに対する応答として前記セキュアな通信路に返す応答手段と
を備えたことを特徴とする航行情報判別装置。
【請求項４】
異なる情報源から提供され、または転送された個別の無線局の航行計画が集約されて蓄積されたデータベースと、
セキュアな通信路を介して引き渡された問い合わせに含まれる識別子で示される無線局について前記データベースに蓄積されている航行計画を取得し、前記問い合わせに対する応答として前記セキュアな通信路に返す応答手段と
を備えたことを特徴とする航行計画配信装置。
【発明の詳細な説明】
【技術分野】
【０００１】
本発明は、航行監視自動放送システムを介して無線伝送された伝送情報、またはその伝送情報の送信端の真偽を判別する航行情報判別装置と、航行監視自動放送システムを介して所定の伝送情報の送信や受信を行う無線局の航行計画を配信する航行計画配信装置とに関する。
【背景技術】
【０００２】
ＡＩＳ（Automatic Identification System）装置は、技術の進歩と共に低廉化、小型化、低消費電力化および高機能化が図られ、航行の安全や利便性の向上のために多くの船舶に搭載されつつある。
【０００３】
また、このようなＡＩＳ装置は、国際航海する船舶にあっては総トン数が３００トン以上の船、領海内のみを航行する船舶にあっては総トン数が５００トン以上の船、国際航海をする旅客船の全てに対して搭載義務が課されている。また、搭載義務がない船舶には、無線従事者が居なくても運用が可能な簡易型のＡＩＳ装置も多く搭載されつつある。
【０００４】
図１０は、ＡＩＳ装置の構成例を示す図である。
図において、アンテナ３１ＡＩＳ、３１ＧＰＳの給電点は、トランスポンダ４０の第一のアンテナ端子および第二のアンテナ端子にそれぞれ接続され、そのトランスポンダ４０のディジタル入出力ポートには、縦続接続された集配器５０および操作表示部６０が接続される。集配器５０には、所望の外部機器やセンサ（何れも図示されない。）が接続される。
【０００５】
トランスポンダ４０は、以下の要素から構成される。
(1) 単極双投であって共通接点が上記第一のアンテナ端子に接続されたスイッチ（ＳＷ）４１
(2) スイッチ４１のメーク（ブレーク）接点に接続された第一の端子を有するハイブリッド（Ｈ）４２
【０００６】
(3) ハイブリッド４２の第二ないし第四の端子にそれぞれ接続されたＴＤＭＡ受信部４３-1、４３-2およびＤＳＣ受信部４４
(4) これらのＴＤＭＡ受信部４３-1、４３-2およびＤＳＣ受信部４４の出力にそれぞれ接続された第一ないし第三の復調入力を有する変復調部４５
【０００７】
(5) 変復調部４５の変調出力に接続された変調入力を有し、かつ出力がスイッチ４１のブレーク（メーク）接点に接続された送信部４６
(6) 上記第二のアンテナ端子に接続された入力を有するＧＰＳ受信部４７
【０００８】
(7) 変復調部４５の入出力ポートとＧＰＳ受信部４７の出力とにそれぞれ接続された入出力ポートに併せて、既述の集配器５０に接続されたディジタル入出力ポートとを有する制御部４８
【０００９】
このような構成のＡＩＳ装置では、スイッチ４１およびＴＤＭＡ受信部４３-1、４３-2は、制御部４８の配下で稼働し、他船からアンテナ３１ＡＩＳに到来した受信波を変復調部４５に与える。
【００１０】
変復調部４５は、その受信波を復調することによって、図１１(a) に示す形式でメッセージの各フィールドに配置された伝送情報を得る。なお、このような伝送情報には、例えば、他船の識別情報、船首方位、船位、針路、速度等（以下、「通知情報」という。）が含まれる。制御部４８は、このようにして得られた通知情報を所定の形式および内容の情報に変換し、かつ集配器５０を介して操作表示部６０に引き渡す。操作表示部６０は、集配器５０を介して制御部４８から引き渡された情報を表示することにより、自船舶の航行にかかわる要員に通知する。
【００１１】
一方、集配器５０は、制御部４８の配下で既述の外部機器やセンサと連係することにより、自船の識別情報、船首方位、船位、針路、速度等（以下、「通知情報」という。）を収集し、その制御部４８に与える。
【００１２】
ＧＰＳ受信部４７は、図示されないＧＰＳ衛星からアンテナ３１ＧＰＳに到来した無線信号に所定の衛星航法を適用することにより、時刻（ＴＤＭＡ受信部４３-1、４３-2等によって行われる多元接続の基準となる。）と自船（アンテナ３１ＧＰＳ）の位置とを求め、その位置を上記自船の通知情報に組み込まれ得る情報として制御部４８に引き渡す。
【００１３】
制御部４８は、これらの情報を所定の形式に変換して変復調部４５に与える。変復調部４５は、このような形式の情報で変調された送信波を制御部４８の配下で生成する。送信部４６は、制御部４８の配下でスイッチ４１およびアンテナ３１ＡＩＳを介して他船や陸上局宛に、上記送信波を送信する。
【００１４】
なお、このような送信波は、制御部４８の配下でＴＤＭＡ受信部４３-1、４３-2が既述の受信波を受信するために行う同期制御の下で所定の時分割多重方式に適合した送信タイムスロット（制御部４８の配下で予約され、あるいは自船に割り付けられる。）の期間に、バースト波として生成される。
【００１５】
すなわち、ＡＩＳ装置は、自船の通知情報を周辺の船舶や陸上局に自動的に通知し、かつ他の船舶から同様に通知される通知情報を取得して所定の処理を施すことにより、船舶の衝突予防、積荷情報等の把握、運航管理業務、海上保安業務、港湾等における運行管制の支援に供される。
【００１６】
なお、本発明に関連する先行技術としては、以下に列記する特許文献１ないし特許文献５があった。
【００１７】
(1) 「船舶から送信された船舶識別信号を受信して、該船舶識別信号から前記船舶の少なくとも位置情報を抽出する船舶位置情報抽出手段と、レーダの探知データから物標の位置を捕捉・追尾する物標捕捉追尾手段と、前記船舶位置情報抽出手段により得られた船舶の位置または速度ベクトルを示す第１のマーク、および前記物標捕捉追尾手段により得られた物標の位置または速度ベクトルを示す第２のマークを同一の表示部に表示するとともに、前記第１のマークの表示位置またはその周辺内において、第１のマークを第２のマークより優先して表示する制御手段とを備える」ことによって、「船舶自動識別装置（ＡＩＳ）による他船のマークと、自動衝突予防援助装置（ＡＲＰＡ）による物標のマークとを同一表示画面上に表示する際の表示内容の煩雑さを解消し、またＡＲＰＡの能力を有効に利用できるようにする」点に特徴がある船舶表示装置…特許文献１
【００１８】
(2)  「他船の少なくとも位置の情報を含む他船情報を検知する検知手段と、該検知手段により検知された他船情報の重要度を所定条件に従って求め、予め設定した範囲の重要度をもつ他船情報を抽出する他船情報抽出手段と、抽出された他船情報に対応する他船の位置をグラフィック表示する表示制御手段とを備える」ことによって、「他船情報を検知して、他船と自船との相対位置関係または他船同士の相対位置関係をグラフィック表示する際に、他船の数が多くなった時の表示の煩雑化を防いで視認性を高める」点に特徴がある他船表示装置…特許文献２
【００１９】
(3)  「ＡＲＰＡレーダ装置併載船舶のＡＩＳ装置が、インターフェイスを介してＡＲＰＡレーダ装置に接続され、受信する近傍船舶の動的情報とＡＲＰＡレーダ装置から取得するレーダシンボル情報とを、刻々に比較し、所定の一致が認められる動的情報がないレーダシンボル情報を送信停止警戒情報とし、所定の一致が認められるレーダシンボル情報がない動的情報を無実体通報警戒情報とし、これらの警戒情報を表示装置にて表示して運用者に警戒を促すと共に、前記警戒情報を通報に変換して近傍船舶に送信する」ことによって、「送信ＡＩＳ装置の送信停止や実体を伴わない動的情報、送信情報の詐称・欺瞞を受信ＡＩＳ装置が検出して警戒を促すことにより、不正な情報送信に対する抑止効果が働く環境を実現し、ひいてはＡＩＳ装置の信頼性を向上する」点に特徴があるＡＩＳ送受信情報の信頼性向上方法…特許文献３
【００２０】
(4)  「船舶に搭載されて航行支援を行う船舶用航行支援装置において、目標船から送信される目標船情報を受信するＡＩＳ（船舶自動識別）装置と、レーダのレーダ信号から捕捉した目標船を追尾するＡＲＰＡ（自動衝突予防援助）装置と、自船位置を特定する自船位置情報特定手段と、前記受信した目標船位置情報と前記特定した自船位置情報から目標船の自船に対する相対位置を演算する目標相対位置演算手段と、前記目標相対位置演算手段で演算された目標船の相対位置から、その目標船と同一の、ＡＲＰＡ装置で追尾中の目標船を特定する同一目標判定手段と、ＡＩＳ装置にて受信される目標船情報の精度を監視して、ＡＩＳ装置で受信される目標船情報が誤っているか否かを判定するＡＩＳ情報監視手段とを備え、ある目標船に対して、ＡＩＳ情報監視手段がその目標船情報を誤っていると判定したときに、異常信号を出力する」ことによって、「ＡＩＳ装置とＡＲＰＡ装置の特性を生かして、ＡＲＰＡ装置によりＡＩＳ装置の補完を行い、ＡＩＳ装置で受信される目標船情報の信頼性を高める」点に特徴がある船舶用航行支援装置…特許文献４
【００２１】
(5)  「船舶に搭載されて航行支援を行う船舶用航行支援装置において、目標船または第３者から送信される目標船位置情報を受信する目標船情報受信手段と、自船位置を特定する自船位置情報特定手段と、前記受信した目標船位置情報と前記特定した自船位置情報から目標船の自船に対する相対位置を演算する目標相対位置演算手段と、レーダのレーダ信号から、目標船を継続して追尾し、その履歴から目標船の運動情報を提供する目標船捕捉追尾手段と、前記目標相対位置演算手段で演算された目標船の相対位置と目標船捕捉追尾手段で追尾中の目標船の相対位置とを比較することにより、目標船捕捉追尾手段で追尾中の目標船と同一の、前記目標船情報受信手段でその目標船位置情報を入手した目標船を特定する同一目標判定手段とを備え、前記同一目標判定手段は、さらに、同一判定を行う期間を制限する同一目標判定期間制限手段を備える」ことによって、「レーダ信号から目標船捕捉追尾を行うものと、目標船等から送られてくる目標船情報を受信するものとの、それぞれの特性を生かして補完を行い、目標船についての情報の統合を効率的に行う」点に特徴がある船舶用航行支援装置…特許文献５
【先行技術文献】
【特許文献】
【００２２】
【特許文献１】特開２００２−３７２５８３号公報
【特許文献２】特開２００３−０４８５９５号公報
【特許文献３】特開２００５−１４１６５６号公報
【特許文献４】特開２００５−１８１０７８号公報
【特許文献５】特開２００５−１８２５３９号公報
【発明の概要】
【発明が解決しようとする課題】
【００２３】
ところで、上述した従来例や特許文献では、実存しない船舶等から通知された位置の真偽は、積極的には判別されず、あるいは判別されても複雑かつ多くの処理量を要する無線航法が併用されることによって実現されていた。
【００２４】
本発明は、本来的な仕様および構成に対する適合性が損なわれることなく、無線局や伝送情報の真偽の判別が確度高く達成される航行情報判別装置および航行計画配信装置を提供することを目的とする。
【課題を解決するための手段】
【００２５】
請求項１に記載の発明では、伝送情報取得手段は、航行監視自動放送システムの無線伝送路を介して受信され、無線局の識別子を含む伝送情報を取得する。判別手段は、前記識別子で示される無線局の航行計画と、前記伝送情報との相関として、前記無線局または前記伝送情報の真偽を判別する。
【００２６】
すなわち、本発明に係る航行情報判別装置では、上記伝送情報、またはその伝送情報の送信端である無線局は、既存の多元接続方式や通信手順が基本的に変更されることなく、その無線局の航行計画を基準として確度高く真偽が判別される。
【００２７】
請求項２に記載の発明では、伝送情報取得手段は、航行監視自動放送システムの無線伝送路を介して受信され、無線局の識別子を含む伝送情報を取得する。問い合わせ手段は、セキュアな通信路に、前記伝送情報の全てまたは一部と前記識別子とを含む問い合わせを送出する。応答取得手段は、前記問い合わせに応じて前記セキュアな通信路を介して引き渡され、かつ前記伝送情報の真偽を示す応答を取得する。
【００２８】
すなわち、本発明に係る航行情報判別装置では、上記伝送情報、またはその伝送情報の送信端である無線局は、セキュアな通信路を介して対向し、その無線局の航行計画を参照可能なデータベース等が主導的に行う処理の下で、真偽が判別される。
【００２９】
請求項３に記載の発明では、データベースには、異なる情報源から提供され、または転送された個別の無線局の航行計画が集約されて蓄積される。判別手段は、セキュアな通信路を介して引き渡された問い合わせに含まれる識別子で示される無線局について前記データベースに蓄積されている航行計画と、前記識別子と共に前記セキュアな通信路を介して引き渡された情報との相関として、前記無線局または前記情報の真偽を判別する。応答手段は、前記真偽を前記問い合わせに対する応答として前記セキュアな通信路に返す。
【００３０】
すなわち、本発明が適用された航行監視自動放送システムでは、セキュアな通信路を介して無線局から与えられる問い合わせに応答するデータベース等が主導的に行う処理の下で、その問い合わせに含まれる情報と、この問い合わせに含まれる識別子で示される無線局と  の真偽が判別される。
【００３１】
請求項４に記載の発明では、データベースには、異なる情報源から提供され、または転送された個別の無線局の航行計画が集約されて蓄積される。応答手段は、セキュアな通信路を介して引き渡された問い合わせに含まれる識別子で示される無線局について前記データベースに蓄積されている航行計画を取得し、前記問い合わせに対する応答として前記セキュアな通信路に返す。
【００３２】
すなわち、本発明に係る航行監視自動放送システムでは、セキュアな通信路を介して無線局から与えられる個々の問い合わせに応じて、その問い合わせの対象となっている無線局の航行計画が該当する問い合わせの送信端に対して返される。
【発明の効果】
【００３３】
本発明が適用された航行無線送信装置については、航行にかかわる情報の全てまたは一部を基準として行われる処理により、既存の多元接続方式や通信手順が基本的に変更されることなく、真正であることが確度高く判別される。
【００３４】
また、本発明が適用され、かつ航行監視自動放送システムにアクセスする無線局は、本来的な仕様および構成に対する適合性が損なわれることなく、性能および信頼性が高められる。
【００３５】
さらに、本発明が適用され、かつ航行監視自動放送システムにアクセスする無線局は、本来的な仕様および構成に対する適合性が損なわれることなく、しかも、処理量が大幅に増加することなく、性能および信頼性が高められる。
【００３６】
また、本発明が適用された航行監視自動放送システムにおいて、上記真偽の判別を行い得る無線局では、負荷が軽減され、かつ付加価値および信頼性が高められる。
【００３７】
さらに、本発明が適用され、かつ航行監視自動放送システムにアクセスする無線局は、レーダの探知性能が有効に活用されることによって、性能および信頼性が高められる。
【００３８】
また、本発明が適用された無線局では、航行情報判別装置との連係の下で、問い合わせ対象となっている無線局の真偽の判別を効率的に、かつ確度高く実現することができる。
【００３９】
したがって、本発明が適用された航行監視自動放送システムによれば、安価に信頼性、性能だけではなく、航行の安全性および利便性が高められ、かつ安定に維持される。
【図面の簡単な説明】
【００４０】
【図１】本発明の第一の実施形態を示す図である。
【図２】本発明の第一の実施形態における制御部の動作フローチャートである。
【図３】本発明の第一の実施形態の動作を説明する図である。
【図４】本発明の第二の実施形態を示す図である。
【図５】本発明の第二の実施形態における制御部の動作フローチャートである。
【００４１】
【図６】本発明の第二の実施形態の動作を説明する図である。
【図７】本発明の第三の実施形態を示す図である。
【図８】本発明の第三の実施形態における判別装置の動作フローチャートである。
【図９】本発明の第三の実施形態の動作を説明する図である。
【図１０】ＡＩＳ装置の構成例を示す図である。
【図１１】ＡＩＳを介して無線伝送されるメッセージの構成を示す図である。
【発明を実施するための形態】
【００４２】
以下、図面に基づいて本発明の実施形態について詳細に説明する。
〔第一の実施形態〕
図１は、本発明の第一の実施形態を示す図である。
本実施形態では、ＡＩＳ装置１０Ａ、１０Ｂは、異なる船舶Ａ、Ｂにそれぞれ備えられる。
なお、船舶Ａ、Ｂは、例えば、互いにＡＩＳ信号（メッセージ）の送信端や受信端となるＡＩＳ装置が個別に搭載された船舶に該当する。
【００４３】
このようなＡＩＳ装置１０Ａの構成は、図１０に示すＡＩＳ装置とは、制御部４８に代えて制御部１１Ａが備えられた点を除いて同じである。なお、ＡＩＳ装置１０Ａの構成要素の符号の末尾には、上記ＡＩＳ装置１０Ｂの構成要素との峻別のために、記号「Ａ」を付記する。
さらに、ＡＩＳ装置１０Ａの構成要素の内、図１０に示すものと機能および構成が同じものについては、上記記号「Ａ」が末尾に付加された点を除いて同じ符号を付与し、ここでは、その説明を省略する。
【００４４】
また、ＡＩＳ装置１０Ｂの構成については、上記ＡＩＳ装置１０Ｂの構成と同じである。したがって、ＡＩＳ装置１０Ｂの構成要素には、上記記号「Ａ」に代わる記号「Ｂ」が末尾に付加された同じ符号を付与し、ここでは、その説明を省略する。
【００４５】
図２は、本発明の第一の実施形態における制御部の動作フローチャートである。
図３は、本発明の第一の実施形態の動作を説明する図である。
以下、図１、図２、図３および図１１を参照して本実施形態の動作を説明する。
【００４６】
本発明の特徴は、本実施形態では、ＡＩＳ装置１０Ａ、１０Ｂが後述するように連係することによって、偽船舶の識別が実現される点にある。
ＡＩＳ装置１０Ａでは、制御部１１Ａは、以下の処理を行う。
【００４７】
(1) 船舶Ａの識別情報ＩＤＡに併せて、図示されない測位センサから集配器５０を介して与えられた船舶Ａの位置（ＧＰＳ受信部４７Ａが行う測位演算の下で得られた位置で代替される可能性がある。）を含んだ「通知情報」を生成する（図２ステップＳ１，図３(1)）。
(2) その「通知情報」の全てまたは一部であって、上記「通知情報」または船舶Ａの存否（真偽）の判別の基準として好適なもの（以下、「基準情報」という。）を既知の秘密鍵で暗号化することによって、「暗号情報」を生成する（図２ステップＳ２，図３(2)）。
【００４８】
(3) 変復調部４５Ａおよび送信部４６Ａを介して、上記「通知情報」をクラスＡ位置通報（メッセージ１）(図１１(b))として送信する（図２ステップＳ３，図３(3)）。
(4) 変復調部４５Ａおよび送信部４６Ａを介して、上記「暗号情報」をバイナリ放送メッセージ（メッセージ８）(図１１(c))として送信する（図２ステップＳ４，図３(4)）。
【００４９】
なお、このようなクラスＡ位置通報とバイナリ放送メッセージとの送信の順序、インターバル、対応関係については、予め決められたルールに基づいて規定される。
一方、ＡＩＳ装置１０Ｂでは、制御部１１Ｂは、以下の処理を行う。
【００５０】
(1) ＴＤＭＡ受信部４３Ｂ-1（４３Ｂ-2）および変復調部４５Ｂと連係することにより、上記「通知情報」を受信して蓄積する（図２ステップＳ５，図３(5)）。
(2) ＴＤＭＡ受信部４３Ｂ-1（４３Ｂ-2）および変復調部４５Ｂと連係することにより、上記「暗号情報」を受信する（図２ステップＳ６，図３(6)）。
【００５１】
(3) その「暗号情報」を既述の秘密鍵に適合した公開鍵に基づいて復号化することによって、上記「基準情報」を復元する（図２ステップＳ７，図３(7)）。
(4) これらの「通知情報」と「基準情報」との相関や照合をとることにより、この「通知情報」または船舶Ａの真偽を判別する（図２ステップＳ８，図３(8)）。
【００５２】
(5) 集配器５０Ｂを介して操作表示部６０Ｂに、上記判別の結果を示す２値情報に併せて既述の「通知情報」を引き渡す（図２ステップＳ９，図３(9)）。
ここに、船舶Ａは偽船舶ではなく、かつＡＩＳ装置１０Ａは、本発明が適用された正規のＡＩＳ装置である。
【００５３】
しかし、例えば、パソコン等により不正にＡＩＳにアクセスした不正規のＡＩＳ装置では、上記秘密鍵や公開鍵を取得することができないために、「暗号情報」をバイナリ放送メッセージとして送信することはできない。
【００５４】
したがって、本実施形態によれば、ＡＩＳの本来的な多元接続方式、通信手順、メッセージの内容・形式等の仕様に対する適合性が損なわれることなく、既存のハードウェア資源が有効に活用されることによって、複雑かつ多くの処理量が必要な無線航法や衛星航法が適用されることなく簡便に確度高く、偽船舶の識別や「通知情報」の真偽の判別が実現される。
【００５５】
なお、「基準情報」の秘匿性の確保は、既述の公開鍵方式により限定されず、例えば、以下に列記される何れの構成により実現されてもよい。
・  共通鍵方式
・  秘密鍵方式
・  セッション鍵方式
・  ドングル（絶対時刻に同期した計時の結果に基づいて算出され、かつ更新される鍵を与えるものを含む。）の採用
【００５６】
また、このような暗号化や復号化のために適用される鍵は、秘匿性の担保等のセキュリティが確保されるならば、ＡＩＳ装置１０Ａ、１０Ｂに既知の情報として予め与えられ、あるいはセキュアな通信路を介してアクセス可能な証明局によって適宜配信されてもよい。
【００５７】
さらに、本実施形態では、「暗号情報」に変換される「基準情報」には、以下の何れが含まれてもよい、
・  「通知情報」の全てまたは要部の写し
・  「通知情報」の真偽の判別に適用されるべきアルゴリズム
【００５８】
また、「暗号情報」の無線伝送は、以下の何れの形態で行われてもよい。
(1) バイナリ放送メッセージ（メッセージ８）としてではなく、多様なメッセージのスペアフィールドの活用（ビットスチール方式の採用を含む。）によって形成されるチャネルを介する伝送
【００５９】
(2) 暗号化に代えて、あるいは暗号化に併せて施される「圧縮符号化」の採用
が図られて
【００６０】
さらに、本実施形態は、制御部１１Ａ、１１Ｂによって実行され、かつ既述の処理を行うソフトウェアによって構成されている。
【００６１】
しかし、本実施形態は、以下に列記するように、アンテナ３１ＡＡＩＳ（３１ＢＡＩＳ）とトランスポンダとの間に介装されに下記の何れのアダプタとして構成されてもよい。
(1) 受信波の復調と送信波の変調と行い、かつベースバンド領域で既述の処理（図２ステップＳ１〜Ｓ９）に等価な処理を行うアダプタ
【００６２】
(2) 既述の処理（図２ステップＳ１〜Ｓ９）の内、バイナリ放送メッセージ（メッセージ８）として受信された「暗号情報」の抽出および復号化を行うことにより「基準情報」を復元し、その「基準情報」を受信波に多重化してトランスポンダに引き渡し、あるいは制御部１１Ａ（１１Ｂ）に直接引き渡すアダプタ
【００６３】
(3) 既述の処理（図２ステップＳ１〜Ｓ９）の内、バイナリ放送メッセージ（メッセージ８）として送信されるべき「基準情報」が制御部１１Ａ（１１Ｂ）から直接、または送信波に重畳された信号として引き渡され、その「基準情報」を示すバイナリ放送メッセージ（メッセージ８）の生成およびこれに該当する無線パケット信号を生成すると共に、他のメッセージを示すバースト状の送信波と同様にアンテナ３１ＡＡＩＳ（３１ＢＡＩＳ）を介して送信するアダプタ
【００６４】
〔第二の実施形態〕
図４は、本発明の第二の実施形態を示す図である。
図において、図１０に示すものと機能および構成が同じものについては、同じ符号を付与し、ここではその説明を省略する。
【００６５】
本実施形態の構成は、図４に示すように、以下の点で図１０に示す従来例の構成と異なる。
(1) 制御部４８に代えて制御部１２が備えられる。
(2) 制御部１２の所定の通信ポートに接続され、かつ無線ＬＡＮを介するイッタネットへのアクセスに供されるプロキシサーバ１３が備えられる。
【００６６】
(3) 上記インタネット上には、船舶運航管理会社や船会社などの信頼し得る機関に個別に備えられた運行管理データベース（図示されない。）に、専用の通信路やセキュアな通信路を介してアクセスするデータベース１４が配置される。
【００６７】
図５は、本発明の第二の実施形態における制御部の動作フローチャートである。
図６は、本発明の第二の実施形態の動作を説明する図である。
以下、図４、図５および図６を参照して本実施形態の動作を説明する。
【００６８】
データベース１４は、上記船会社に属する個々の船舶について運行管理データベースに登録された運行計画を適宜集約し、かつ更新しつつ蓄積する。
一方、制御部１２は、他船に搭載されたＡＩＳ装置から無線伝送され、かつＴＤＭＡ４３-1（４３-2）および変復調部４５によって復元された「通知情報」（例えば、「クラスＡ位置通報」（メッセージ１）」を取り込むと、以下の処理を行う。
【００６９】
(1) 「通知情報」に含まれるMMSI番号、緯度、経度等を抽出する（図５ステップＳ１，図６(1)）。
(2) そのMMSI番号に併せてその時点における時刻Ｔを含む「問い合わせ」を生成する（図５ステップＳ２，図６(2)）。
【００７０】
(3) プロキシサーバ１３およびインタネットを介して上記データベース１４に、その「問い合わせ」を送信する（図５ステップＳ３，図６(3)）。
(4) この「問い合わせ」に応じてデータベース１４から応答として転送された運行計画を取得する（図５ステップＳ４，図６(4)）。なお、このような運行計画が取得できなかった場合には、後述する処理(5)〜(7)を省略する。
【００７１】
(5) この運行計画の下で該当する他船が上記時刻Ｔに位置すべき水域を特定する（図５ステップＳ５，図６(5)）。
(6) 上記緯度および経度がその水域に所定の精度で一致するか否かを判別し、その判別の結果を示す２値情報を生成する（図５ステップＳ６，図６(6)）。
(7) 集配器５０を介して操作表示部６０に、このような２値情報に併せて既述の「通知情報」を引き渡す（図５ステップＳ７，図６(7)）。
【００７２】
したがって、本実施形態によれば、ＡＩＳの本来的な多元接続方式、通信手順、メッセージの内容・形式等の仕様に対する適合性が損なわれることなく、既存のハードウェア資源が有効に活用されるが、複雑かつ多くの処理量を要する無線航法や衛星航法が適用されることなく、信頼性が高い運用計画を基準として簡便に確度高く、偽船舶の識別や「通知情報」の真偽の判別が実現される。
【００７３】
なお、本実施形態では、「通知情報」やその「通知情報」を送信した船舶に関する真偽の判別の基準は、上述した水域と緯度および経度との相関性のみに限定されず、その判別の厳格さの度合いが複数段階のうちの所望の段階に設定されるべき場合には、運行計画および上記「問い合わせ」に盛り込まれるべき項目およびこれらの精度が好適に設定され、かつ操作表示部６０等を介してユーザによって与えられる指示に応じて適宜切り替えられてもよい。
【００７４】
また、このような基準に盛り込まれるべきアイテムおよび重要度には、航行の輻輳度、海賊の出没しやすさ等々のように、該当する船舶が位置する海域の属性が反映されてもよい。
【００７５】
さらに、これらの項目が多数に亘る場合には、項目毎に重要度を示す重みと偏差との積和と所定の閾値との大小関係として、上記２値情報が求められてもよい。
【００７６】
また、このような閾値は、既定の定数に限定されず、例えば、ユーザによって設定や更新が適宜行われ、あるいは上記水域の属性に適した値として求められたり更新されてもよい。
【００７７】
さらに、データベース１４に対する問い合わせとその応答とは、例えば、以下の何れの形態で実現されてもよい。
(1) ウェブサービス
(2) 既述の船舶運航管理会社や船会社に備えられたデータベースに対してデータベース１４を介することなく直接行われるアクセス
(3) インタネットを介することなく転送可能なバイナリ放送メッセージ（メッセージ８）の活用
【００７８】
また、運行計画の取得が上記バイナリ放送メッセージ（メッセージ８）として行われる場合には、本実施形態は、以下の全てまたは任意の組み合わせとして構成されてもよい。
(1) データベース１４が、バイナリ放送メッセージ（メッセージ８）の送受が可能な陸上局に組み込まれ、あるいはインタネットを介してその陸上局によってアクセスされる。
(2) 運行計画の情報量が大きい（大きくなり得る）場合には、暗号化に併せて、あるいはその暗号化に代えて圧縮符号化が図られる。
【００７９】
さらに、このような運行計画は、真偽の判別の対象となる船舶や「通知情報」が急速には変化しない状況に対する好ましい対処のため、制御部１２の主記憶や外部記憶に一括してダウンロードされ、あるいはキャッシュされてもよい。
【００８０】
なお、本実施形態では、既述の通りに制御部１２によって実行されるソフトウェアは、例えば、図１０に示す制御部４８と連係するコプロセッサやパッケージとして組み込まれることにより、従来のＡＩＳトランスポンダ、あるいはその他のＡＩＳトランスポンダによる偽船舶の識別の確度を高める装置として構成されてもよい。
【００８１】
また、本実施形態では、制御部１２とデータベース１４との連係（機能分散や負荷分散）の形態については、既述の形態に限定されず、両者の連係に必要な通信路が確保され、その通信路に要求される伝送速度や実時間性が実現されるならば、如何なるものであってもよい。
【００８２】
さらに、上述した各実施形態では、「通知情報」等の真偽の判別の対象となる船舶は、以下の何れの船舶であってもよい。
(1) 操作表示部６０を操作する操作者によって指定された船舶
(2) （直近に）位置が通知された船舶
【００８３】
〔第三の実施形態〕
図７は、本発明の第三の実施形態を示す図である。
図において、図１０に示すものと機能および構成が同じものについては、同じ符号を付与し、ここではその説明を省略する。
本実施形態の構成は、図７に示すように、以下の点で図１０に示す従来例の構成と異なる。
(1) レーダ装置７０が備えられる。
(2) このレーダ装置７０の出力は判別装置８０の第一のポートに接続される。
(3) 判別装置８０の第二のポートには集配器５０の特定の出力ポートが接続され、その判別装置８０の出力に指示装置９０が接続される。
【００８４】
図８は、本発明の第三の実施形態における判別装置の動作フローチャートである。
図９は、本発明の第三の実施形態の動作を説明する図である。
以下、図７、図８および図９を参照して本実施形態の動作を説明する。
【００８５】
レーダ装置７０は、トランスポンダ４０と共に船舶に搭載され、その船舶の周辺に位置する個々の船舶の探知を行い、この探知の結果を示す指示画像と、その時点におけるレーダ装置７０の実体的な覆域（レーダ装置７０が正常に稼働しているか否かも意味する。）とを判別装置８０に逐次引き渡す（図９(1))。
このような指示画像には、以下の情報が含まれる。
【００８６】
(1) 一般的な指示画像としてして表示されるレーダ画像情報Ｖ
(2) そのレーダ画像情報Ｖ上に表示されるべき船舶毎の位置（以下、「他船位置情報」という。）ｐ１〜ｐｎ
【００８７】
なお、このような他船位置情報ｐ１〜ｐｎは、以下の項目に基づいて算出された緯度および経度の対であると仮定する。
・  自船の位置
・  自船の船首方向
・  レーダ装置７０によって物標の探知が行われるべきレンジの範囲
【００８８】
一方、トランスポンダ４０の各部は、従来例と同様に、アンテナ３１ＡＩＳに到来した無線信号毎に送信端（他船）である他船から通知された「通知情報」（クラスＡ位置通報（メッセージ１))Ｉ１〜ＩＮを識別する（図９(2))。制御部４８は、集配器５０を介して判別装置８０に、これらの通知情報Ｉ１〜ＩＮを逐次引き渡す（図９(3))。
【００８９】
判別装置８０は、以下の処理を行う。
(1) 通知情報Ｉ１〜ＩＮの内、含まれる位置情報が指示装置９０の指示画面上に表示されるべき水域（上記覆域にも含まれる。）内にある通知情報Ｉ１′〜Ｉｍ′を抽出する（図８ステップＳ１，図９(4)）。
(2) 上記通知情報Ｉ１′〜Ｉｍ′の内、物標探知の結果として上記指示画面が得られるべきスキャンの期間に時間軸上で重なり、あるいは直近の所定の期間内に得られた通知情報ｉ１′〜ｉｍ′を特定する（図８ステップＳ２，図９(5)）。
【００９０】
(3)  これらの通知情報ｉ１′〜ｉｍ′に個別に含まれる位置情報（緯度および経度）の列を抽出する（図８ステップＳ３，図９(6)）。
(4) 上記他船位置情報ｐ１〜ｐｎの内、このようにして抽出された位置情報の何れかとの「相関性」が所定の上限値を超える「特定の他船位置情報」を識別する（図８ステップＳ４，図９(7)）。
【００９１】
(5) 上記「特定の他船位置情報」の何れかに対応する船舶（以下、「真船舶」という。）と、このような「真船舶」に該当しない「偽船舶」との何れか一方として、レーダ画像Ｖ上に物標として表示されるべき各船舶を識別する（図８ステップＳ５，図９(8)）。
【００９２】
(6) そのレーダ画像Ｖ上に表示される個々の船舶が「真船舶」と「偽船舶」との何れに該当するかを目視で容易に峻別できるように、以下の表示属性の組み合わせの内、好適な組み合わせをレーダ画像Ｖに適用する（図８ステップＳ６，図９(9)）。
【００９３】
・  船舶の位置やその船舶の船首方向等を示すシンボル（例えば、「△」マーク）の全体または一部の線種、太さ、色、形、有無
・  上記シンボルの塗りつぶし、点滅、揺れの有無、修飾（例えば、「？」等のマークの重畳）の形態（色、濃淡、模様であってもよい。）
・  上記シンボルに付帯し、「ＭＭＳＩ番号」、「コールサイン」、「船名」等の全てまたは一部を示す文字のフォント、色、フォントの変形（斜体、ボールド、長体、平体、袋文字、反転およびその形態）等
【００９４】
・  影、立体感、点滅の有無や形態
・  光沢の有無や程度およびその対象部位
・  不確かさの有無や程度を示唆（暗示）するマークや文字
・  上記(4) 項に既述の「相関性」のように、「偽船舶に該当する確からしさ」の程度を示す文字や画像（の重畳）
【００９５】
なお、このような表示属性により（幾分なりとも）「偽船舶」らしい船舶がレーダ画像Ｖ上に位置する場合には、音声メッセージと警報音との双方もしくは何れか一方が並行して発せられてもよい。
【００９６】
したがって、本実施形態によれば、ＡＩＳの本来的な多元接続方式、通信手順、メッセージの内容・形式等の仕様に対する適合性が損なわれることなく、レーダ装置の資源が有効に活用されると共に、複雑かつ多くの処理量を要する無線航法や衛星航法が適用されることなく、しかも、指示画面の目視に頼ることなく偽船舶の識別や「通知情報」の真偽の判別が簡便に確度高く実現される。
【００９７】
また、本実施形態によれば、偽船舶であるか否かの判別の結果が表示属性の相違として自動的に指示画面上に表示されるので、多数の船舶が密集する水域（海域）における運用も容易に可能となる。
【００９８】
さらに、本実施形態によれば、ＡＩＳが正常に機能している状態では、レーダ装置７０が正常に稼働しているか否かの判別と、そのレーダ装置７０による物標探知が可能な水域や地域であるか否かの判別との何れもが可能となる。
【００９９】
なお、本実施形態では、既述の他船位置情報ｐ１〜ｐｎは、レーダ装置７０によってレーダ画像情報Ｖに施される画像処理とその地理的なマッピングとの下で得られている。
しかし、これらの他船位置情報ｐ１〜ｐｎは、上記レーダ装置７０等によって行われる目標追尾等の処理によって求められてもよい。
【０１００】
また、本実施形態では、上記「特定の他船位置情報」の識別には、例えば、「他船の物理的なサイズ」のように通知情報として通知された該当する他船の属性と、レーダ装置７０の実体的な探知性能や覆域との適否や矛盾の有無が参酌されてもよい。
【０１０１】
さらに、上述した各実施形態では、「通知情報」や他船にかかわる真偽の判別の基準は、複数のクラス（例えば、「完全に信用できる」、「ほぼ信用できる」、「信用できる」、「疑わしい」、「かなり疑わしい」、「完全に疑わしい」等）に区分されて設定されるべき場合には、例えば、操作表示部６０を介して操作者によって与えられる指示に応じて、あるいは制御部４８、１１Ａ、１１Ｂ、１２または判別装置８０によって行われる所定の処理の下で適宜設定されてもよい。
【０１０２】
また、レーダ画像情報Ｖ上に盛り込まれるべき船舶等の目標については、上記クラスの内、操作者によって与えられる指示に応じて「任意のクラスの組み合わせ」（例えば、疑わしい船舶のみに限定される。）に設定されれてもよい。
【０１０３】
さらに、本実施形態では、判別装置８０は、トランスポンダ４０とレーダ装置７０と何れか一方に組み込まれ、あるいは双方に分散して組み込まれてもよい。
【０１０４】
また、これらの判別装置８０、トランスポンダ４０およびレーダ装置７０の機能や負荷の分散の形態は、如何なるものであってもよい。
【０１０５】
さらに、本実施形態では、制御部４８および判別装置８０によって行われる処理は、例えば、その制御部４８と連係するコプロセッサやパッケージによって行われることにより、従来のＡＩＳトランスポンダ、あるいはその他のＡＩＳトランスポンダの活用により「偽船舶の識別の確度を高める装置」として構成されてもよい。
【０１０６】
また、このような「他船の存否や、その確度の判定」は、例えば、本願と同日の出願に係る発明と、既述の各実施形態の全てまたは一部との組み合わせにより、さらに確度高く実現されてもよい。
【０１０７】
さらに、上述した各実施形態では、到来する受信波の送信端は、船舶局のみに限定されず、陸上局、ブイ等に搭載されたＡＩＳトランスポンダであってもよい。
【０１０８】
また、上述した各実施形態では、本発明は、船舶局や陸上局に適用されるＡＩＳに適用されている。
しかし、本発明は、このようなＡＩＳに限定されず、例えば、以下に連記される何れのシステムや装置にも同様に適用可能である。
【０１０９】
(1) 低軌道を周回する人工衛星にＡＩＳ受信機が搭載されることにより、沿岸から８０キロメートル以上離れている大洋上の船舶等の航行状態も監視可能とする「人工衛星ＡＩＳ」
【０１１０】
(2) 海上の捜索や監視を行う航空機等に搭載されるＡＩＳトランスポンダ
(3) 航空機が絶えずその位置や高度を他の航空機および地上局に向けて報知する放送型自動従属監視システム（ＡＤＳ−Ｂ：Automatic Dependent Surveillance-Broadcast）
【０１１１】
さらに、上述した各実施形態の構成は、既述の構成に限定されず、本発明の特徴的な処理や機能が実現されるならば、ハードウェアおよびソフトウェアの構成と、各部の機能や負荷の分散の形態との何れも如何なるものであってもよい。
【０１１２】
また、本発明は、上述した各実施形態に限定されず、本発明の範囲において多様な実施形態の構成が可能であり、構成要素の全てまたは一部に如何なる改良が施されてもよい。
【０１１３】
以下、本願に開示された発明の内、「特許請求の範囲」に記載しなかった発明の構成、作用および効果を「特許請求の範囲」、「課題を解決するための手段」、「発明の効果」の各欄の記載に準じた様式により列記する。
【０１１４】
〔１〕  請求項１に記載の航行情報判別装置において、
前記相関は、
前記無線局の位置、または前記航行計画が前記無線局の位置を含む領域の属性が反映された
ことを特徴とする航行情報判別装置。
【０１１５】
すなわち、無線局または伝送情報の真偽の判別は、航行計画でけではなく、その無線局が位置する地理的な領域の属性が参酌されることによって実現される。
【０１１６】
したがって、無線局の実体的な所在に適応した携帯で上記真偽の判別が実現され、信頼性や性能の向上が柔軟に図られる。
【０１１７】
〔２〕  請求項１または請求項２に記載の航行情報判別装置において、
セキュアな通信路を介してデータベースに前記識別子を引き渡し、前記航行計画を取得する航行計画問い合わせ手段を備えた
ことを特徴とする航行情報判別装置。
【０１１８】
すなわち、本発明が適用された航行情報判別装置では、無線局または伝送情報の真偽は、その真偽の判別の基準となる航行計画が既知の情報ではなく、刻々と更新され得る場合であっても、精度よく実現される。
【０１１９】
したがって、予め備えられるべきハードウェアやソフトウェアの資源の軽減がはかられ、しかも、性能および信頼性が高められる。
【符号の説明】
【０１２０】
１１，１１Ａ，１１Ｂ，４８  制御部
３１ＡＩＳ、３１ＧＰＳ  アンテナ
４０  トランスポンダ
４１（ＳＷ）  スイッチ
４２（Ｈ）  ハイブリッド
４３  ＴＤＭＡ受信部
４４  ＤＳＣ受信部
４５  変復調部
４６  送信部
４７  ＧＰＳ受信部
５０  集配器
６０  操作表示部
【図１】
2015197779.tif 000003
【図２】
2015197779.tif 000004
【図３】
2015197779.tif 000005
【図４】
2015197779.tif 000006
【図５】
2015197779.tif 000007
【図６】
2015197779.tif 000008
【図７】
2015197779.tif 000009
【図８】
2015197779.tif 000010
【図９】
2015197779.tif 000011
【図１０】
2015197779.tif 000012
【図１１】
2015197779.tif 000013